(57)【要約】【課題】上下方向への温風の広がりを変えずに、左右への温風の広がりを大幅に確保することのできるファンコンベクタの風向調節装置を提供すること。【解決手段】本体１背面上部に備える吸込口２と、前面下部に備える吹出口３とを結ぶ空気通路４に、温水を流通して室内空気と熱交換する熱交換器５と、前記室内空気を流通するクロスフローファン６とを配設し、前記吹出口３に上下風向板７および左右風向板８を配設してなるファンコンベクタの風向調節装置において、左右風向板８を吹出口３の風下側に、上下風向板７を風上側にそれぞれ配設し、前記左右風向板８の後端部に前記上下風向板７を収容する複数のスリット８ｃを備え、また、前記左右風向板８の風下側端部を吹出口３の先端まで延出した。【選択図】  図１
2004325001.tif 000002
【特許請求の範囲】
【請求項１】
本体背面上部に備える吸込口と、前面下部に備える吹出口とを結ぶ空気通路に、温水を流通して室内空気と熱交換する熱交換器と、前記室内空気を流通するクロスフローファンとを配設し、前記吹出口に上下風向板および左右風向板を配設してなるファンコンベクタの風向調節装置において、
前記左右風向板を前記吹出口の風下側に配設する一方、前記上下風向板を風上側に配設し、前記左右風向板の後端部に、前記上下風向板の前端部を収容する複数のスリットを設けてなることを特徴とするファンコンベクタの風向調節装置。
【請求項２】
前記左右風向板の前端部を前記吹出口の先端近傍まで延出してなることを特徴とする請求項１記載のファンコンベクタの風向調節装置。
【請求項３】
前記上下風向板の後端部が、前記クロスフローファンの円周に沿って配設されてなることを特徴とする請求項１記載のファンコンベクタの風向調節装置。
【請求項４】
前記複数の左右風向板は、その左右方向の中央部が固定され、同中央部の左右両側が上下に備えた回動軸を軸支して回動自在に配設されてなることを特徴とする請求項１記載のファンコンベクタの風向調節装置。
【発明の詳細な説明】
【０００１】
【発明の属する技術分野】
本発明は、ファンコンベクタの風向調節装置に係わり、より詳細には、左右への風向調節機構の構成に関する。
【０００２】
【従来の技術】
従来のファンコンベクタの風向調節装置は、図３に示すように、ファンコンベクタ１の吹出口３の風下側に、上下風向板７を配設し、その風上側に複数の制御部材を連結棒９により連結した左右風向板８を回動可能に配設し、同左右風向板８を操作手段１０を操作して回動することにより、左右への温風の広がりを調節するようにしていた。
しかしながら、この構成では、左右風向板８が吹出口３の奥に配置されるため、吹出口３の側壁に遮られて温風の広がりが小さくなるという問題があった。
また、特許文献１に開示されているように、吹出口２にルーバー３を設けるようにしてなるファンコンベクタの風向調節装置において、前記吹出口２に、風向板３ｂ、３ｃを備えた左右一対のルーバー３の外側左右端部を回動自在に軸支し、前記一対のルーバー３の内側対向部に左右一対の第一係止部７を設ける一方、一端に駆動手段を備えた連接桿１７の他端に係止棒１６を設け、前記一対の第一係止部７に前記係止棒１６の両端を係止してなり、前記連接桿１７を前後に駆動することにより、前記左右一対のルーバー３を左右に回動するようにしたものがある（例えば、特許文献１参照。）。
しかし、この構成では、左右への広がりを大きくしようとすると、ルーバー３の中央部を吹出口の外側に大きく突き出さなければならず、見た目の悪いものになるという問題がある。
また、空気調和機の風向調節装置には、左右風向板を前記上下風向板の前面側に取付けているものがある（例えば、特許文献２参照。）。
しかし、この構成では、左右風向板を長くすると、上下風向板を吹出口の奥に配設しなけらばならず、上下風向板の偏向効果が薄れてしまうという問題があった。
【０００３】
【特許文献１】
特開平１１−２３７１１１号公報（第３−４頁、第２図）
【特許文献２】
特開平９−３１０９０８号公報（第２−３頁、第３図）
【０００４】
【発明が解決しようとする課題】
本発明は以上述べた問題点を解決し、上下方向への温風の広がりを変えずに、左右への温風の広がりを大幅に確保することのできるファンコンベクタの風向調節装置を提供することを目的としている。
【０００５】
【課題を解決するための手段】
本発明は上述の課題を解決するため、本体背面上部に備える吸込口と、前面下部に備える吹出口とを結ぶ空気通路に、温水を流通して室内空気と熱交換する熱交換器と、前記室内空気を流通するクロスフローファンとを配設し、前記吹出口に上下風向板および左右風向板を配設してなるファンコンベクタの風向調節装置において、
前記左右風向板を前記吹出口の風下側に配設する一方、前記上下風向板を風上側に配設し、前記左右風向板の後端部に、前記上下風向板の前端部を収容する複数のスリットを設けてなる構成となっている。
【０００６】
また、前記左右風向板の前端部を前記吹出口の先端近傍まで延出してなる構成となっている。
【０００７】
また、前記上下風向板の後端部が、前記クロスフローファンの円周に沿って配設されてなる構成となっている。
【０００８】
また、前記複数の左右風向板は、その左右方向の中央部が固定され、同中央部の左右両側が上下に備えた回動軸を軸支して回動自在に配設されてなる構成となっている。
【０００９】
【発明の実施の形態】
以下、図面に基づいて本発明によるファンコンベクタの風向調節装置を詳細に説明する。
図１は本発明によるファンコンベクタの風向調節装置の一実施例を示す要部側断面図、図２は同要部拡大平断面図である。
図１に示すように、ファンコンベクタの本体１の背面上部にはグリル２ａを備える吸込口２が、前面下部にはルーバー３ａを備える吹出口３が設けられている。
前記吸込口２と前記吹出口３とを結ぶ空気通路４には、温水を流通して室内空気と熱交換する熱交換器５と、前記吸込口２から室内空気を吸込んで空気通路４に空気を流通し、吹出口３から吹出すためのクロスフローファン６とが配設されている。
また、図１および図２に示すように、前記吹出口３には上下回動可能な前記ルーバー３ａが配設されている。
前記ルーバー３ａには、その風上側に吹出風を上下方向に偏向する上下風向板７と、その風下側に吹出風を左右に偏向する左右風向板８、８’とを備えている。
【００１０】
図１に示すように、前記上下風向板７は、その風上側端部を前記クロスフローファン６の円周に沿って配設されている。
また、図２に示すように、前記吹出口３の左右方向の中央部に固定の左右風向板８’が配設され、その左右に回動自在の前記左右風向板８が配設されている。
前記固定の左右風向板８’および回動自在の左右風向板８は、その前端部を前記吹出口３の先端まで伸ばしたので、直接、同回動自在の左右風向板８を操作することができ、従来必要だった操作手段（図３の１０）を削減してもいいようになっている。
また、前記回動自在の左右風向板８の後端部には前記上下風向板７を収容する複数のスリット８ｃを設け、通風方向に長くすると共に、上下風向板７がより風下側に配設されるようにしている。
また、前記左右風向板８の上下には、前記吹出口３に備える前記ルーバー３ａの上下壁面に設けられた軸孔にそれぞれ軸支される回動軸８ａ、８ｂを備えており、上方の回動軸８ａは連結棒９により複数同時に回動するようになっている。
前記連結棒９は前記ルーバー３ａの上壁の上部に設けられており、従来のように、吹出風の通路を妨げないので、通風効率も従来より良くなる。
【００１１】
以上の構成において、つぎにその動作を説明する。
前記熱交換器５に図示しない石油温水ボイラで加熱された温水を流通することにより、前記クロスフローファン６により前記吸込口２から吸込まれて同熱交換器５を通過する室内空気と熱交換される。
前記熱交換器５を通過して暖められた温風は前記上下風向板７と前記左右風向板８とにより偏向され、前記吹出口３より室内に吹き出される。
【００１２】
ところで、前記上下風向板７は、前記左右風向板８の上下に設けた前記スリット８ｃに貫通して配設されるので、前記吹出口３の若干風上側ではあるが略中央に配設されるため、温風の上下への偏向効果は従来と殆んど変わりない。
【００１３】
また、前記左右風向板８は、前記吹出口３の開口まで配設されると共に、流風方向に長く形成されているので、同左右風向板８により偏向された温風は前記吹出口３の側壁に邪魔されることがなく、左右の広がりを大きく調節することができる。
【００１４】
【発明の効果】
以上説明したように、本発明によるファンコンベクタの風向調節装置によれば、左右風向板を前記吹出口の風下側、上下風向板を風上側に配設し、前記左右風向板の後端部に前記上下風向板を収容する複数のスリットを設け、また、前記左右風向板の風下側端部を吹出口の先端まで延出したので、左右風向板を通風方向に長くすることができると共に、上下風向板がより風下側に配設され、温風吹出しの上下への偏向効果は従来と殆んど変わりなく、左右へ広がりを大きく調節することができる。
【図面の簡単な説明】
【図１】本発明によるファンコンベクタの風向調節装置の一実施例を示す要部側断面図である。
【図２】本発明によるファンコンベクタの風向調節装置の一実施例を示す要部拡大平断面図である。
【図３】従来のファンコンベクタの風向調節装置を示す要部側断面図である。
【符号の説明】
１  ファンコンベクタ本体
２  吸込口
２ａ  グリル
３  吹出口
３ａ  ルーバー
４  空気通路
５  熱交換器
６  クロスフローファン
７  上下風向板
８、８’  左右風向板
８ａ、８ｂ  回動軸
８ｃ  スリット
９  連結棒
【図１】
2004325001.tif 000003
【図２】
2004325001.tif 000004
【図３】
2004325001.tif 000005